(57)【要約】【課題】  競技者個々のタイムを適切に計時することのできる競技用計時システム等を提供する。【解決手段】  計時地点のタグコンソールは、リザルトサーバからリザルトデータを取得したか否かを判別する（ステップＳ１１）。リザルトデータを取得したと判別した場合に、タグコンソールは、取得したリザルトデータに含まれるタグＩＤ等をポーリングリストに登録する（ステップＳ１２）。また、タグコンソールは、タグＩＤ受信機からタグＩＤを取得したか否かを判別する（ステップＳ１３）。タグＩＤを取得したと判別した場合に、タグコンソールは、取得した時刻（接近時刻）をポーリングリストに追加する（ステップＳ１４）。そして、タグコンソールは、このように生成したポーリングリストにて、無線タグからの計測タイムの取得状況を管理する。【選択図】  図７
2006141867.tif 000002
【特許請求の範囲】
【請求項１】
競技者に携帯される計時機器と、複数の計時地点にそれぞれ配置され、近傍に位置する競技者の前記計時機器から送られる情報を受信する受信装置と、前記各受信装置に情報を送信するサーバと、を含む競技用計時システムであって、
前記計時機器は、
競技の基準時刻を計時する計時手段と、
競技者の計時地点の通過時に前記計時手段が計時した時刻を計測タイムとして特定する特定手段と、
前記特定手段が特定した前記計測タイムを、前記受信装置に向けて送信する送信手段と、を備え、
前記サーバは、
各計時地点の前記受信装置に向けて、手前の計時地点を通過した競技者の通過情報を送信する通過情報送信手段を備え、
前記受信装置は、
前記サーバから送信された前記通過情報を受信する通過情報受信手段と、
前記通過情報受信手段が受信した前記通過情報に基づいて、前記計時機器に対して前記計測タイムの送信を要求するタイム要求手段と、
前記計時機器の前記送信手段から送信された前記計測タイムを受信するタイム受信手段と、を備える、
ことを特徴とする競技用計時システム。
【請求項２】
前記サーバの前記通過情報送信手段は、前記受信装置から前記通過情報の送信の要求があったときにこれに応答して前記通過情報を前記受信装置に向けて送信する、
ことを特徴とする請求項１に記載の競技用計時システム。
【請求項３】
前記計時機器の前記送信手段は、前記計測タイムと共に、当該計時機器固有の識別情報を前記受信装置に向けて送信し、
前記受信装置の前記タイム受信手段は、前記計時機器の前記送信手段から送られる前記計測タイム及び前記識別情報を受信し、
前記受信装置は、
前記タイム受信手段が受信した前記計測タイム及び前記識別情報を前記サーバに向けて送信する情報送信手段を更に備え、
前記サーバは、
前記受信装置の前記情報送信手段から送られた前記計測タイム及び前記識別情報を受信する情報受信手段を更に備え、
前記サーバの通過情報送信手段は、前記情報受信手段が受信した前記計測タイム及び前記識別情報を前記通過情報として、当該計測タイム及び当該識別情報を送信した前記受信装置が配置された計時地点よりも先の計時地点に配置された前記受信装置に向けて送信する、
ことを特徴とする請求項１又は２に記載の競技用計時システム。
【請求項４】
前記計時機器は、
前記受信装置に向けて当該計時機器固有の識別情報を送信する識別情報送信手段を更に備え、
前記受信装置は、
前記計時機器の前記識別情報送信手段から送られる前記識別情報を受信する識別情報受信手段と、
前記識別情報受信手段が受信した前記識別情報を前記サーバに向けて送信する識別情報送信手段と、を更に備え、
前記サーバは、
前記受信装置の前記識別情報送信手段から送られる前記識別情報を受信する情報受信手段を更に備え、
前記サーバの前記通過情報送信手段は、前記情報受信手段が受信した前記識別情報を前記通過情報として、当該識別情報を送信した前記受信装置が配置された計時地点よりも先の計時地点に配置された前記受信装置に向けて送信する、
ことを特徴とする請求項１乃至３の何れか１項に記載の競技用計時システム。
【請求項５】
前記受信装置は、
前記タイム受信手段が受信した前記計測タイムを前記サーバに向けて送信する情報送信手段を更に備え、
前記サーバは、
前記受信装置の前記情報送信手段から送られた前記計測タイムを受信する情報受信手段を更に備え、
前記サーバの通過情報送信手段は、前記情報受信手段が受信した前記計測タイムを前記通過情報として、当該計測タイムを送信した前記受信装置が配置された計時地点よりも先の計時地点に配置された前記受信装置に向けて送信する、
ことを特徴とする請求項１乃至４の何れか１項に記載の競技用計時システム。
【請求項６】
競技者に携帯される計時機器と、複数の計時地点にそれぞれ配置され、近傍に位置する競技者の前記計時機器から送られる情報を受信する受信装置と、前記各受信装置に情報を送信するサーバと、を含むシステムにおけるタイム取得方法であって、
前記計時機器において、競技の基準時刻を計時する計時ステップと、
競技者の計時地点の通過時に前記計時ステップにて計時された時刻を計測タイムとして特定する特定ステップと、
前記特定ステップにて特定された前記計測タイムを、前記受信装置に向けて送信する送信ステップと、
前記サーバにおいて、各計時地点の前記受信装置に向けて、手前の計時地点を通過した競技者の通過情報を送信する通過情報送信ステップと、
前記受信装置において、前記通過情報送信ステップにて前記サーバから送信された前記通過情報を受信する通過情報受信ステップと、
前記通過情報受信ステップにて受信された前記通過情報に基づいて、前記計時機器に対して前記計測タイムの送信を要求するタイム要求ステップと、
前記送信ステップにて前記計時機器から送信された前記計測タイムを受信するタイム受信ステップと、
を備えることを特徴とするタイム取得方法。
【発明の詳細な説明】
【技術分野】
【０００１】
この発明は、競技者個々のタイムを適切に計時することのできる競技用計時システムおよびタイム取得方法に関する。
【背景技術】
【０００２】
近年、マラソン競技等において、競技者個々のゴールタイムを計測（計時）する試みがなされている。例えば、競技者のゼッケン等にバーコードを印刷しておき、ゴールした競技者のバーコードをリーダにて読み取った時刻に基づいて、競技者個々のゴールタイムを計測する計測システムも実用化されている。
それでも従来の計測システムでは、ゴール後に所定時間かけてバーコードの読み取りを行うため、そもそも実測よりも遅れたゴールタイムが計測されていた。特に、大勢の競技者が同時期にゴールした場合等では、バーコードの読み取り待ちが生じてしまい、実測よりもかなり遅れたゴールタイムが計測されてしまうという問題があった。
また、ゴールタイムだけでなく、各計時ポイント（中継地点等）における通過タイムを含めた競技タイムも計測したいという要望が高まっているが、従来の計測システムでは、これに対応できなかった。
【０００３】
このような問題を解決するため、種々の計測システムが開発され、実用化に向けた運用試験等が試みられている。新たな計測システムは、より実測に近いタイムを計測するために、また、各計時ポイントにおける計測も可能とするために、非接触にて競技者個々のタイムを計測する形態が主流となっている。
具体的には、競技者が携帯する（ゼッケン等に付けられた）発信器から発せられる電波信号等によりタイムを計測したり、また、撮影した映像から競技者やゼッケン等を識別してタイムを計測する、というものである。
【０００４】
中でも、競技者に発信器を携帯させる計測システムは、実用化に向けて種々の工夫がなされている。一例として、ゴールラインに沿った幅の狭い範囲内に発信器により引き金信号を発信させ、競技者と共に発信器がゴールラインに到達すると、発信器から自動的に固有番号信号を送信させるといった技術も開示されている（例えば、特許文献１参照）。
【特許文献１】特開平８−５７１０４号公報  （第３−６頁、第１図）
【発明の開示】
【発明が解決しようとする課題】
【０００５】
特許文献１に開示される技術は、発信器から送信された固有番号信号をレシーバが受信した時点で、スタートからの時間（タイム）を測定するものである。そして、同時期に大勢の競技者がゴールラインに到達すると、各発信器から送信される固有番号信号が重なり合って、その識別を行えない場合がある。そのため、発信器が固有番号信号を１回だけ発信するのではなく、複数回に渡って発信することで、レシーバでの固有番号信号の読み取り不能（取りこぼし）を回避しようとしている。
【０００６】
しかしながら、測定されるタイムが、固有番号信号を受信できた時点で計時されるため、固有番号信号に重なりが生じると、レシーバが固有番号信号をとりこぼし、次の固有番号信号を受信してしまい、測定されるタイムが実測よりも幾分遅れてしまうという問題があった。
また、固有番号信号の受信によるタイムの計測を、そもそも制限のある範囲内（トリガ信号が送信される幅の狭い範囲内）にて、全て行わなければならないため、固有番号信号の重なりが多数であると、複数回の発信が行われたとしても、固有番号信号の取りこぼしが生じてしまうという問題があった。
【０００７】
本発明は、上記実状に鑑みてなされたもので、競技者個々のタイムを適切に計時することのできる競技用計時システムおよびタイム取得方法を提供することを目的とする。
【課題を解決するための手段】
【０００８】
上記目的を達成するため、本発明の第１の観点に係る競技用計時システムは、
競技者に携帯される計時機器と、複数の計時地点にそれぞれ配置され、近傍に位置する競技者の前記計時機器から送られる情報を受信する受信装置と、前記各受信装置に情報を送信するサーバと、を含む競技用計時システムであって、
前記計時機器は、
競技の基準時刻を計時する計時手段と、
競技者の計時地点の通過時に前記計時手段が計時した時刻を計測タイムとして特定する特定手段と、
前記特定手段が特定した前記計測タイムを、前記受信装置に向けて送信する送信手段と、を備え、
前記サーバは、
各計時地点の前記受信装置に向けて、手前の計時地点を通過した競技者の通過情報を送信する通過情報送信手段を備え、
前記受信装置は、
前記サーバから送信された前記通過情報を受信する通過情報受信手段と、
前記通過情報受信手段が受信した前記通過情報に基づいて、前記計時機器に対して前記計測タイムの送信を要求するタイム要求手段と、
前記計時機器の前記送信手段から送信された前記計測タイムを受信するタイム受信手段と、を備える、
ことを特徴とする。
【０００９】
この発明によれば、計時機器における計時手段は、競技の基準時刻（例えば、現在時刻）を計時する。また、特定手段は、競技者の計時地点の通過時に計時手段が計時した時刻を計測タイムとして特定する。そして、送信手段は、特定手段が特定した計測タイムを、受信装置に向けて送信する。
また、サーバにおける通過情報送信手段は、各計時地点の受信装置に向けて、手前の計時地点を通過した競技者の通過情報を送信する。
一方、受信装置における通過情報受信手段は、サーバから送信された通過情報を受信する。また、タイム要求手段は、通過情報受信手段が受信した通過情報に基づいて、計時機器に対して計測タイムの送信を要求する。そして、タイム受信手段は、計時機器の送信手段から送信された計測タイムを受信する。
【００１０】
この結果、競技者個々のタイムを適切に計時することができる。
【００１１】
前記サーバの前記通過情報送信手段は、前記受信装置から前記通過情報の送信の要求があったときにこれに応答して前記通過情報を前記受信装置に向けて送信するようにしてもよい。
【００１２】
前記計時機器の前記送信手段は、前記計測タイムと共に、当該計時機器固有の識別情報を前記受信装置に向けて送信し、
前記受信装置の前記タイム受信手段は、前記計時機器の前記送信手段から送られる前記計測タイム及び前記識別情報を受信し、
前記受信装置は、
前記タイム受信手段が受信した前記計測タイム及び前記識別情報を前記サーバに向けて送信する情報送信手段を更に備え、
前記サーバは、
前記受信装置の前記情報送信手段から送られた前記計測タイム及び前記識別情報を受信する情報受信手段を更に備え、
前記サーバの通過情報送信手段は、前記情報受信手段が受信した前記計測タイム及び前記識別情報を前記通過情報として、当該計測タイム及び当該識別情報を送信した前記受信装置が配置された計時地点よりも先の計時地点に配置された前記受信装置に向けて送信してもよい。
【００１３】
前記計時機器は、
前記受信装置に向けて当該計時機器固有の識別情報を送信する識別情報送信手段を更に備え、
前記受信装置は、
前記計時機器の識別情報送信手段から送られる前記識別情報を受信する識別情報受信手段と、
前記識別情報受信手段が受信した前記識別情報を前記サーバに向けて送信する識別情報送信手段と、を更に備え、
前記サーバは、
前記受信装置の前記識別情報送信手段から送られる前記識別情報を受信する情報受信手段を更に備え、
前記サーバの前記通過情報送信手段は、前記情報受信手段が受信した前記識別情報を前記通過情報として、当該識別情報を送信した前記受信装置が配置された計時地点よりも先の計時地点に配置された前記受信装置に向けて送信してもよい。
【００１４】
前記受信装置は、
前記タイム受信手段が受信した前記計測タイムを前記サーバに向けて送信する情報送信手段を更に備え、
前記サーバは、
前記受信装置の前記情報送信手段から送られた前記計測タイムを受信する情報受信手段を更に備え、
前記サーバの通過情報送信手段は、前記情報受信手段が受信した前記計測タイムを前記通過情報として、当該計測タイムを送信した前記受信装置が配置された計時地点よりも先の計時地点に配置された前記受信装置に向けて送信してもよい。
【００１５】
上記目的を達成するため、本発明の第２の観点に係るタイム取得方法は、
競技者に携帯される計時機器と、複数の計時地点にそれぞれ配置され、近傍に位置する競技者の前記計時機器から送られる情報を受信する受信装置と、前記各受信装置に情報を送信するサーバと、を含むシステムにおけるタイム取得方法であって、
前記計時機器において、競技の基準時刻を計時する計時ステップと、
競技者の計時地点の通過時に前記計時ステップにて計時された時刻を計測タイムとして特定する特定ステップと、
前記特定ステップにて特定された前記計測タイムを、前記受信装置に向けて送信する送信ステップと、
前記サーバにおいて、各計時地点の前記受信装置に向けて、手前の計時地点を通過した競技者の通過情報を送信する通過情報送信ステップと、
前記受信装置において、前記通過情報送信ステップにて前記サーバから送信された前記通過情報を受信する通過情報受信ステップと、
前記通過情報受信ステップにて受信された前記通過情報に基づいて、前記計時機器に対して前記計測タイムの送信を要求するタイム要求ステップと、
前記送信ステップにて前記計時機器から送信された前記計測タイムを受信するタイム受信ステップと、
を備えることを特徴とする。
【００１６】
この発明によれば、計時機器における計時ステップは、競技の基準時刻を計時する。また、特定ステップは、競技者の計時地点の通過時に計時ステップにて計時された時刻を計測タイムとして特定する。そして、送信ステップは、特定ステップにて特定された計測タイムを、受信装置に向けて送信する。
また、サーバにおける通過情報送信ステップは、各計時地点の受信装置に向けて、手前の計時地点を通過した競技者の通過情報を送信する。
一方、受信装置おける通過情報受信ステップは、通過情報送信ステップにてサーバから送信された通過情報を受信する。また、タイム要求ステップは、通過情報受信ステップにて受信された通過情報に基づいて、計時機器に対して計測タイムの送信を要求する。そして、タイム受信ステップは、送信ステップにて計時機器から送信された計測タイムを受信する。
【００１７】
この結果、競技者個々のタイムを適切に計時することができる。
【発明の効果】
【００１８】
本発明によれば、競技者個々のタイムを適切に計時することができる。
【発明を実施するための最良の形態】
【００１９】
本発明の実施の形態にかかる競技用計時システムについて、以下図面を参照して説明する。なお、一例として、マラソン競技において複数地点にてタイムの計時を行う競技用計時システムとして説明する。
【００２０】
（実施形態１）
図１は、この発明の実施の形態に適用される競技用計時システム１の構成の一例を示す模式図である。なお、以下ではタイムの計時を行うチェックポイントや中継地点やゴール地点を、便宜的にまとめて計時地点として説明する。つまり、計時地点は、チェックポイントや中継地点やゴール地点を示すものとする。また、ゴール地点がスタート地点と異なる場合について説明する。
【００２１】
図示するように、競技用計時システム１は、スタート地点に設置されたタイマコンソール１１、標準時刻受信機１２、無線通信端末１３、時刻表示装置１４、現在時刻送信機１５、タグＩＤ受信機１６、及び、タグコンソール１７と、計時地点（チェックポイントや中継地点やゴール地点）に設置されたタイマコンソール１１、標準時刻受信機１２、無線通信端末１３、時刻表示装置１４、現在時刻送信機１５、タグＩＤ受信機１６、受信装置としてのタグコンソール１７、磁場発生装置１８、ループコイル１９、計測タイム受信機２０、撮影装置２１、映像記録装置２２、及び、データサーバ２３と、各地点のタグコンソール１７等と通信回線を介して接続されるサーバとしてのリザルトサーバ２４と、各競技者ＲＮにそれぞれ携帯される計時機器としての無線タグ３０と、を含んで構成される。
【００２２】
なお、スタート地点のタイマコンソール１１には、スタートピストルＳＰが接続されており、また、計時地点のタイマコンソール１１には、グリップスイッチＧＳが接続されている。
スタートピストルＳＰは、スタータの操作に応答して、スタート信号をスタート地点のタイマコンソール１１に供給する。また、グリップスイッチＧＳは、計時役員等の操作に応答して、グリップ信号を計時地点のタイマコンソール１１に供給する。
【００２３】
タイマコンソール１１は、ＣＰＵ等の制御部、ＲＡＭ（Random Access Memory）等のメモリ、ＬＣＤ（Liquid Crystal Display）等の表示部、現在時刻を計時するタイマ、及び、キーボード等の操作部を含んで構成される。
タイマコンソール１１は、競技開始の所定時間前までに時刻同期の処理を実行し、標準時刻受信機１２が受信した標準時刻に同期した現在時刻の計時を始める。
【００２４】
そして、現在時刻の計時を開始すると、スタート地点のタイマコンソール１１は、競技のスタート前に、各無線タグ３０に向けて、ブロードキャスト等にて現在時刻の情報を送信し、各無線タグ３０に現在時刻を設定させる。
その後、スタート地点のタイマコンソール１１は、競技のスタートに伴って、スタートピストルＳＰからスタート信号が入力されると、その時刻をスタート時刻（時刻情報）として自己のメモリに保持すると共に、無線通信端末１３を制御して、このスタート時刻を各計時地点のタイマコンソール１１に向けて送信する。
一方、計時地点のタイマコンソール１１は、スタート地点の無線通信端末１３から送られたスタート時刻を無線通信端末１３にて受信すると、そのスタート時刻を無線通信端末１３から取得して自己のメモリに保持する。
このようにしてスタート時刻を自己のメモリに保持した後に、各タイマコンソール１１は、自己のタイマが計時する現在時刻と保持しているスタート時刻との差（現在時刻−スタート時刻）に基づいて、ランニングタイムを順次生成し、タイム情報として時刻表示装置１４に供給する。
また、計時地点のタイマコンソール１１は、グリップスイッチＧＰからグリップ信号が入力されると、その時刻をグリップ時刻（時刻情報）として映像記録装置２２等に供給する。
【００２５】
標準時刻受信機１２は、例えば、ＧＰＳ（Global Positioning System）受信機からなり、ＧＰＳ衛星から送信される標準時刻（ＧＰＳ時刻）を受信する。なお、標準時刻受信機１２は、この他にも長波受信機等からなり、長波による標準電波として送信される標準時刻を受信してもよい。
標準時刻受信機１２は、受信した標準時刻をタイマコンソール１１に供給する。
【００２６】
無線通信端末１３は、公衆回線（移動体通信網等）を介して他の無線通信端末１３との間でデータ通信が可能な携帯電話等からなる。
そして、スタート地点の無線通信端末１３は、スタート地点のタイマコンソール１１から供給されたスタート時刻を含む通信データを、計時地点の無線通信端末１３に送信する。
一方、計時地点の無線通信端末１３は、スタート地点の無線通信端末１３から送られた通信データを受信し、通信データに含まれるスタート時刻を計時地点のタイマコンソール１１に供給する。
【００２７】
時刻表示装置１４は、電光掲示板等からなり、タイマコンソール１１から順次供給されるタイム情報に従って、ランニングタイム等を表示する。
【００２８】
現在時刻送信機１５は、競技者ＲＮの各無線タグ３０に向けて、タイマコンソール１１が計時している現在時刻等を送信して、無線タグ３０が計時する時刻を適宜補正（設定）させる。
具体的にスタート地点の現在時刻送信機１５は、スタート前に各無線タグ３０に向けて、ブロードキャスト等にて現在時刻、関門ＩＤ及び、しきい値ｎを含む情報を送信する。なお、現在時刻送信機１５は、各無線タグ３０に向けて、個別に現在時刻等を送信してもよい。この場合、無線タグ３０側での受信状況を個別に判別することもでき、無線タグ３０側の取りこぼし等を防止することができる。
ところで、タイム情報と共に無線タグ３０に送られる関門ＩＤとは、各現在時刻送信機１５に対して、スタート地点から順番に採番された識別番号である。例えば、各関門ＩＤは、「０」（スタート地点），「１」（１番目の計時地点），「２」（２番目の計時地点），・・・と、順番に採番されている。
また、しきい値ｎとは、各計時地点にて送信される現在時刻の正確さを無線タグ３０にて判別するために使用される値である。
なお、スタート地点の現在時刻送信機１５は、無線タグ３０に対して最初に時刻を設定させるため、連続して複数回（例えば、１秒間隔で３回以上）に渡り、現在時刻等を送信する。
【００２９】
一方、計時地点の現在時刻送信機１５は、走行する競技者ＲＮからみて計時ラインＬ（ループコイル１９）よりも手前に配置されており、近傍に位置する競技者ＲＮの無線タグ３０に向けて、現在時刻及び、関門ＩＤを含む情報を送信する。
【００３０】
タグＩＤ受信機１６は、現在時刻送信機１５が送信した現在時刻等に応答して無線タグ３０から返信されるタグＩＤ（無線タグ３０に固有の識別情報）を受信する。そして、受信したタグＩＤをタグコンソール１７に供給する。
なお、計時地点のタグＩＤ受信機１６も、走行する競技者ＲＮからみてループコイル１９よりも手前に配置されており、競技者ＲＮがループコイル１９に到達する前に、無線タグ３０から返信されるタグＩＤを受信する。
【００３１】
タグコンソール１７は、ＣＰＵ等の制御部、ＲＡＭ等のメモリ、ＬＣＤ等の表示部、及び、キーボード等の操作部を含んで構成され、無線タグ３０から送信される情報等を管理する。
なお、スタート地点のタグコンソール１７は、タグＩＤ受信機１６から供給されるタグＩＤだけを管理し、また、計時地点のタグコンソール１７は、タグＩＤ受信機１６から供給されるタグＩＤ及び、計測タイム受信機２０から供給される計測タイム等も管理する。
具体的にスタート地点のタグコンソール１７は、スタート前に取得した各タグＩＤから、各無線タグ３０の動作状況等を確認する。なお、この際タグＩＤが取得されない場合に、そのタグＩＤを送信するはずの無線タグ３０が故障や電池切れの可能性があるため、適宜交換等が行われる。
【００３２】
一方、計時地点のタグコンソール１７は、計測タイム受信機２０を通じて計測タイム等を取得する。その際、計時地点のタグコンソール１７は、自己のメモリに適宜生成したポーリングリストにより、対象の無線タグ３０からの計測タイム等の取得状況を管理する。
具体的に計時地点のタグコンソール１７は、制御部が所定のプログラムを実行することにより、図２に示すような、リザルトデータ受信部１７ａ、ポーリングリスト生成部１７ｂ、タグＩＤ取得部１７ｃ、ポーリングリスト更新部１７ｄ、計測タイム取得部１７ｅ、計測タイム補正部１７ｆ、及び、ポーリング制御部１７ｇとして機能する。
【００３３】
リザルトデータ受信部１７ａは、リザルトサーバ２４から送られる通過情報としてのリザルトデータ（１つ手前の計時地点にて計時された通過タイム及び、対応するタグＩＤ等からなるデータ）を受信する。例えば、リザルトデータ受信部１７ａは、１つ手前の計時地点にて通過が判定（後述する自動計測、若しくは、バックアップ計測）された順番にタグＩＤ及び通過タイム等を受信する。
なお、スタート地点から１番目の計時地点では、リザルトサーバ２４からスタートリスト（スタートした競技者ＲＮのタグＩＤ等のリスト）が送られ、そのスタートリストがリザルトデータの代わりに適宜使用される。
【００３４】
ポーリングリスト生成部１７ｂは、リザルトデータ受信部１７ａがリザルトデータ（通過タイム及びタグＩＤ等）を取得すると、図３（ａ）に示すようなポーリングリストを生成する。このポーリングリストは、１つ手前の計時地点にて計測された通過タイム順にソートされた一例を示している。なお、計測区分は、各通過タイムの計測方法を示している。
【００３５】
タグＩＤ取得部１７ｃは、タグＩＤ受信機１６が受信したタグＩＤを取得する。つまり、計時ラインＬ（ループコイル１９）に接近する競技者ＲＮの無線タグ３０から送られるタグＩＤを取得する。
【００３６】
ポーリングリスト更新部１７ｄは、タグＩＤ取得部１７ｃがタグＩＤを取得すると、図３（ｂ）に示すように、その時刻を接近時刻としてポーリングリスト中のタグＩＤに対応させて追加する。なお、ポーリングリスト更新部１７ｄは、タグＩＤ取得部１７ｃがタグＩＤを取得したときにその時刻を接近時刻としてその接近時刻順にソートするようにしてもよい。
また、ポーリングリスト更新部１７ｄは、取得した計測タイム（又は、修正した計測タイム）をデータサーバ２３に送信した後に、ポーリングリストから対象のタグＩＤ等を削除する。
【００３７】
計測タイム取得部１７ｅは、計測タイム受信機２０が受信した計測タイム等（タグＩＤ、計測タイム、関門ＩＤ、及び、補正値α）を取得する。この補正値αは、無線タグ３０において、現在時刻を受信する度に補正した時刻（時差）を累積した累積時差βから求められた値である。
【００３８】
計測タイム補正部１７ｆは、計測タイム取得部１７ｅが取得した関門ＩＤがその計時地点における現在時刻送信機１５の関門ＩＤと異なっている場合に、計測タイムを適宜補正する。
具体的に説明すると、マラソンコースの各５ｋｍ間隔（例えば、５ｋｍ地点、１０ｋｍ地点、１５ｋｍ地点等）に計時地点があるとき、当該計時地点（例えば、１５ｋｍ地点）で関門ＩＤが一致している場合には、当該計時地点にて無線タグ３０の時刻が補正されている。一方、関門ＩＤが一致していない場合には、当該計時地点にて時刻の補正が行われておらず、以前の計時地点（例えば、１０ｋｍ地点）にて補正された時刻に基づいて計測タイムが計時されている。
そのため、関門ＩＤが一致していない場合に、計測タイム補正部１７ｆは、補正値αを使用して、計測タイムを補正する必要がある。この際、以前の計時地点（例えば、１０ｋｍ地点）での補正値αを参酌して、計測タイムを補正する。一例として、計測タイム補正部１７ｆは、以下の数式１に示すように、計測タイムを補正する。
【００３９】
（数１）
Ｔa ＝ Ｔ＋α・Ｔ
Ｔa：補正した計測タイム
Ｔ：計測タイム
α：補正値
【００４０】
ポーリング制御部１７ｇは、計測タイムが取得できなかった（計測タイム受信機２０が計測タイム等を受信できなかった）場合に、計測タイム受信機２０を制御して、無線タグ３０から計測タイム等をポーリング受信する。
例えば、ポーリング制御部１７ｇは、ポーリングリストの接近時刻から一定時間経過しても削除されずにポーリングリストに残っているタグＩＤがある場合に、そのタグＩＤの無線タグ３０に向けて計測タイム受信機２０からポーリング受信させる。
また、ポーリングリストに接近時刻がセットされていないタグＩＤの場合（そのタグＩＤをタグＩＤ受信機１６が受信できなかった場合）に、ポーリング制御部１７ｇは、例えば、そのタグＩＤよりも通過タイムが後の無線タグ３０から計測タイム等を受信したタイミングで、そのタグＩＤの無線タグ３０に向けて計測タイム受信機２０からポーリング受信させる。
この他にも、そのタグＩＤの通過タイムから一定時間（例えば、１つ前の計時地点から当該計時地点までに要する標準の所要時間等）が経過した後に、対応する無線タグ３０に向けてポーリング受信させるようにしてもよい。
【００４１】
このような構成のタグコンソール１７は、無線タグ３０から取得した計測タイム又は、補正した計測タイムを、タグＩＤと共にデータサーバ２３に送信する。
なお、ポーリング受信を試みた後でも、ポーリングリストから削除されずに残っているタグＩＤがある場合、タグコンソール１７は、そのタグＩＤに対応する競技者ＲＮを未通過者として映像記録装置２２等に通知し、通過の有無と計測タイムの特定（判定）を要求する。そして、タグコンソール１７は、通知したタグＩＤをポーリングリストから削除する。
また、ポーリングリストに接近時刻がセットされておらず、かつ、そのタグＩＤの計測区分がバックアップ計測（１つ前の計時地点にて自動計測されていない）の場合には、ポーリング受信を試みることなく、直ちに映像記録装置２２等に通知し、通過の有無と計測タイムの特定（判定）を要求するようにしてもよい。
【００４２】
計時地点に設置される磁場発生装置１８は、例えば、後述するループコイル１９が配置された走路の沿道に配置され、ループコイル１９に電磁場を発生させる。
具体的に磁場発生装置１８は、正弦波発生回路と、電力増幅回路とを含んで構成される。この正弦波発生回路は、例えば、周波数が１００ｋＨｚの正弦波を発生させ、電力増幅回路に供給する。また、電力増幅回路は、供給された正弦波を適宜増幅して、ループコイル１９に供給する。
【００４３】
計時地点に設置されるループコイル１９は、略「８の字」形状に形成されたコイルであり、競技者ＲＮが走行する走路上に適宜配置される。
ループコイル１９は、一例として、図４（ａ）に示すように、矩形（方形）のコイル部を競技者ＲＮの走行方向（図４（ａ）矢印Ａ方向）に２つ連ねたような８の字に形成されている。より詳細には、ループコイル１９は８の字順方向巻きとなっており、８の字の中心（中点）、すなわち交差部に給電点ｓを有するように形成され、この給電点ｓを通って競技者ＲＮの走行方向に対して直交する方向に延びる直線ｂを中心線として、略平行に所定距離だけ隔てた直線ａ，ｂに沿って、８の字の上下部が形成されている。なお、ループコイル１９は、この直線ｂが計時を行うための計時ラインＬ上に重なるように配置される。
【００４４】
そして、ループコイル１９は、図４（ａ）の給電点ｓから矢印方向に電流が流れるようになっており、磁場発生装置１８から正弦波が供給されると、コイル上に交流電磁場を生成する。具体的には、図４（ｂ）に示すように、一方のコイル部上に第１の電磁場１９０ａを生成するとともに、他方のコイル部上に第１の電磁場１９０ａに対して競技者ＲＮの走行方向（矢印Ａ方向）に隣接し且つ第１の電磁場１９０ａと磁力を打ち消しあう第２の電磁場１９０ｂを生成する。
【００４５】
このような電磁場中を、検出コイル面が走路面と平行に配置された磁場検出コイルＣ（後述する無線タグ３０の磁場検出コイル３１）が矢印Ｂ方向に移動すると、図４（ｃ）に示すような電磁界強度分布が得られる。つまり、直線ｂ上の電磁場の電磁界強度は、上述の第１の電磁場１９０ａと第２の電磁場１９０ｂとの電磁場の磁力の打ち消しにより、その両側の電磁界強度よりも極めて小さくなっている（例えば、電磁界強度が”０”となっている）。
このため、競技者ＲＮがループコイル１９上を、矢印Ｂ方向に沿って通過した場合に、無線タグ３０は、計時ラインＬ上（直線ｂ上）を、第１の電磁場１９０ａと第２の電磁場１９０ｂとの間の電磁場の変極点として検出することができる。
【００４６】
計時地点に設置される計測タイム受信機２０は、計時ラインＬを通過した競技者ＲＮの無線タグ３０から送られる計測タイム等を受信する。また、計測タイム受信機２０は、タグコンソール１７の制御に従って、ポーリングにて無線タグ３０から計測タイム等を受信する。
具体的に計測タイム受信機２０は、無線タグ３０から送られるはずの計測タイム等を受信できない場合に、タグコンソール１７により制御され、ポーリングリスト（削除されずに残っているタグＩＤ）に従って対象の無線タグ３０に計測タイムの送信を要求し、応答して無線タグ３０から送信される計測タイム等を受信する。
【００４７】
計時地点に設置される撮影装置２１は、例えば、ビデオカメラ等からなり、計時ラインＬを通過する競技者ＲＮの映像を撮影する。
具体的に撮影装置２１は、走行する競技者ＲＮからみてループコイル１９よりも遠方に配置され、競技者ＲＮのゼッケンや顔等が分かるように、競技者ＲＮの正面（前面）の映像を撮影する。そして、撮影した映像（映像信号）を映像記録装置２２に供給する。
【００４８】
計時地点に設置される映像記録装置２２は、映像記録機器等からなり、撮影装置２１から供給される映像（映像信号）に、計時地点のタイマコンソール１１から供給されるグリップ時刻や現在時刻等のタイムデータを合成して（同期させて）、記録する。
【００４９】
計時地点に設置されるデータサーバ２３は、タグコンソール１７や映像記録装置２２等から適宜データを取得し、通過タイム（ゴール地点ではゴールタイム）や着順等の管理を行う。
例えば、データサーバ２３は、タグコンソール１７から供給された計測タイム等を、自動計測によるリザルトデータ（通過タイム及びタグＩＤ等）として管理する。また、映像記録装置２２に記録された映像から判定された計測タイム等をバックアップ計測によるリザルトデータとして管理する。つまり、データサーバ２３は、自己の計時地点にて計時した通過タイム及びタグＩＤ等を管理する。そして、データサーバ２３は、これらのリザルトデータを、通信回線を通じてリザルトサーバ２４に送信する。
また、データサーバ２３は、所定の操作部から、競技者ＲＮの選手情報や使用される無線タグ３０のタグＩＤ等が入力されると、これらの情報を関連付けて記憶し、タイマコンソール１１やタグコンソール１７に適宜供給する。また、判定により決定した先頭走者の公式タイム（通過タイム）等もタイマコンソール１１に供給する。
【００５０】
リザルトサーバ２４は、各計時地点のリザルトデータを統合して管理するサーバ等からなり、スタート地点のタグコンソール１７、及び、計時地点のタグコンソール１７やデータサーバ２３等と通信回線を介して接続されている。
リザルトサーバ２４は、計時地点のデータサーバ２３から送られるリザルトデータ（通過タイム及びタグＩＤ等）を受信すると、その計時地点から１つ先の計時地点のタグコンソール１７に向けて、そのリザルトデータを送信する。なお、１つ先の計時地点のタグコンソール１７においてリザルトデータの受信の準備がなされておらず、そのタグコンソール１７にリザルトデータを送信できないときには、リザルトサーバ２４がリザルトデータを記憶する。そして、リザルトデータの受信の準備がなされると、そのタグコンソール１７からリザルトサーバ２４に対しリザルトデータの送信の要求がされ、これに応答してリザルトサーバ２４がリザルトデータを計時地点のタグコンソール１７に向けて送信する。
なお、リザルトサーバ２４は、スタート地点から１番目の計時地点のタグコンソール１７に対して、リザルトデータの代わりにスタートリスト（スタートした競技者ＲＮのタグＩＤ等のデータ）を送信する。
【００５１】
競技者ＲＮに携帯される無線タグ３０は、スタート地点や計時地点の現在時刻送信機１５から送信される現在時刻等を受信して、この現在時刻に同期した時刻を計時する。そして、ループコイル１９の電磁場の変極点を検出して、計時ラインＬにおける計測タイムを特定し、自主的に計測タイム受信機２０に向けて計測タイム等を送信する。なお、無線タグ３０は、計測タイム受信機２０からのポーリングに応じても、計測タイム等を送信する。
具体的に無線タグ３０は、図５に示すように、磁場検出コイル３１と、増幅回路３２と、検出回路３３と、アンテナ３４と、通信ユニット３５と、制御部３６と、計時ユニット３７と、記憶部３８と、から構成される。
【００５２】
磁場検出コイル３１は、上述のループコイル１９上に生成された電磁場を検出する。そして、検出した電磁場の電磁界強度を検出信号として増幅回路３２に供給する。
なお、磁場検出コイル３１は、コイル面が走路面と平行となるように設置されている。例えば、無線タグ３０がゼッケン等に固定され、競技者ＲＮに携帯される際に、磁場検出コイル３１のコイル面が走路面と略平行となるように設定される。
このため、無線タグ３０が上述の図４（ｂ）に示す矢印Ｂ方向に移動した場合に、磁場検出コイル３１は、走路に対して鉛直方向の磁束をコイル面にて捉え、上述の図４（ｃ）に示すような電磁界強度分布を検出する。
【００５３】
増幅回路３２は、磁場検出コイル３１から供給された検出信号を、適宜増幅して、検出回路３３に供給する。
【００５４】
検出回路３３は、増幅回路３２から供給される検出信号に従って、ループコイル１９上に生成された電磁場の変極点、すなわち、図４（ｂ）に示すような第１の電磁場１９０ａと第２の電磁場１９０ｂとの間の電磁場の変極点を、図４（ｃ）に示すような電磁界強度分布に基づいて検出する。
より詳細に説明すると、検出回路３３は、一例として、図６（ａ）に示すような抵抗Ｒ１〜Ｒ３、コンデンサＣ、及び、オペアンプＯＰから構成される。この検出回路３３は、図６（ｂ）に示すように、入力される検出信号の電圧が増加時に所定電圧の信号を出力し、また、入力される検出信号の電圧が減少時には信号を出力しない。
すなわち、検出回路３３は、ループコイル１９上に生成された電磁場の電磁界強度の増加を検出し、２回目の電磁界強度の増加時に電磁場の変極点を検出する。つまり、図６（ｂ）に示す２回目の立ち上がりを、ループコイル１９上における電磁場の変極点として特定する。
【００５５】
図５に戻って、アンテナ３４は、送受信用のアンテナである。
通信ユニット３５は、アンテナ３４を介して、現在時刻送信機１５から送信される現在時刻等を受信する。具体的に通信ユニット３５は、スタート地点の現在時刻送信機１５から現在時刻、関門ＩＤ及び、しきい値ｎを含む情報を受信し、また、計時地点の現在時刻送信機１５から現在時刻及び、関門ＩＤを含む情報を受信する。そして、その応答として、記憶部３８から読み出したタグＩＤをタグＩＤ受信機１６に向けて送信する。
また、通信ユニット３５は、検出回路３３が電磁場の変極点を検出し、制御部３６が計測タイムを特定すると、この計測タイム、タグＩＤ及び、補正値α等を含む情報を計測タイム受信機２０に送信する。なお、計測タイム受信機２０から計測タイムの送信要求（ポーリング）を受信した際にも、通信ユニット３５は、計測タイム等を計測タイム受信機２０に送信する。
【００５６】
制御部３６は、通信ユニット３５が受信した現在時刻に基づいて、計時ユニット３７が計時する現在時刻を補正又は設定する。
例えば、スタート地点（スタート前）において、それまで計時ユニット３７に時刻が未設定であったため、制御部３６は、スタート地点の現在時刻送信機１５から送られる現在時刻を、通信ユニット３５が例えば、１秒間隔で３回以上受信した後に、正当な現在時刻を計時ユニット３７に設定する。
また、計時地点において、制御部３６は、通信ユニット３５が受信した現在時刻に基づいて、計時ユニット３７が計時する時刻を補正する。その際、タイム補正した時差（受信した現在時刻と計時ユニット３７が計時していた時刻との時差）を求め、記憶部３８の累積時差βに加算して記憶する。そして、累積時差βから単位時間あたりの補正値αを求め、記憶部３８に記憶する（更新する）。また、タイム補正を行った計時地点を明らかにするために、現在時刻と共に送られる関門ＩＤを記憶部３８に記憶する（更新する）。
なお、計時地点で受信した現在時刻と計時ユニット３７が計時する時刻との時差が、記憶部３８に記憶しているしきい値ｎよりも大きい場合に、制御部３６は、タイム補正を行わない。これは、何らかの原因により、送信された現在時刻又は受信された現在時刻に文字化け等が生じてしまっていることが考えられるため、制御部３６は、不正確と思われる現在時刻をそのまま破棄する。この場合、関門ＩＤの更新も行わない。
【００５７】
また、制御部３６は、検出回路３３が検出した電磁場の変極点に基づいて、競技者ＲＮの計時ラインＬへの到達を判別し、その時点で計時ユニット３７が計時した現在時刻を計測タイムとして特定する。
【００５８】
計時ユニット３７は、制御部３６により適宜補正（設定）され、通信ユニット３５が受信した現在時刻に同期した現在時刻を計時する。
なお、計時ユニット３７は、高安定水晶発振器を備えており、現在時刻等の計時を安定して維持することが可能となっている。
【００５９】
記憶部３８は、通信ユニット３５が受信したしきい値ｎや、制御部３６が求めた補正値α，累積時差βや、タイム補正を行った地点の関門ＩＤや、特定した計測タイム等を記憶する。
また、記憶部３８は、無線タグ３０毎（競技者ＲＮ毎）に異なる固有のＩＤ情報（タグＩＤ）を予め記憶している。
【００６０】
以下、上述した構成の競技用計時システム１の動作について、図面を参照して説明する。
まず、図７を参照して、ポーリングリストが生成される動作について説明する。図７は、タグコンソール１７（計時地点のタグコンソール１７）が実行するポーリングリスト生成処理を説明するためのフローチャートである。このポーリングリスト生成処理は、競技のスタート後に適宜開始される。
【００６１】
まず、計時地点のタグコンソール１７は、リザルトサーバ２４からリザルトデータを取得したか否かを判別する（ステップＳ１１）。つまり、１つ手前の計時地点のデータサーバ２３にて管理されるリザルトデータ（通過タイム及びタグＩＤ等）が、リザルトサーバ２４に送信され、そして、そのリザルトデータがリザルトサーバ２４から当該計時地点のタグコンソール１７に供給されたか否かを判別する。
タグコンソール１７は、リザルトデータを取得していないと判別すると、後述するステップＳ１３に処理を進める。
【００６２】
一方、リザルトデータを取得したと判別した場合に、タグコンソール１７は、取得したリザルトデータに含まれるタグＩＤ等をポーリングリストに登録する（ステップＳ１２）。つまり、タグコンソール１７は、上述した図３（ａ）に示すようなポーリングリストにタグＩＤ、通過タイム、及び、計測区分等を登録する。
【００６３】
タグコンソール１７は、タグＩＤ受信機１６からタグＩＤを取得したか否かを判別する（ステップＳ１３）。つまり、当該計時地点のタグＩＤ受信機１６が、現在時刻を受信した無線タグ３０から送られるタグＩＤを受信し、そのタグＩＤがタグコンソール１７に供給されたか否かを判別する。
タグコンソール１７は、タグＩＤを取得していないと判別すると、上述のステップＳ１１に処理を戻す。
【００６４】
一方、タグＩＤを取得したと判別した場合に、タグコンソール１７は、取得した時刻（接近時刻）をポーリングリストに追加する（ステップＳ１４）。つまり、タグコンソール１７は、タグＩＤを取得すると、図３（ｂ）に示すように、その時刻を接近時刻としてポーリングリスト中のタグＩＤに対応させて追加する。
【００６５】
そして、タグコンソール１７は、ステップＳ１１に処理を戻し、上述の処理を繰り返し実行する。
【００６６】
このように、計時地点のタグコンソール１７が行うポーリングリスト生成処理により、リザルトデータに基づいて、タグＩＤ等がポーリングリストに登録される。このため、１つ手前の計時地点における通過実績等が考慮され、当該計時地点にて計時対象となり得るタグＩＤ（無線タグ３０）を、ポーリングリストに自動登録することができる。
また、当該計時地点のタグＩＤ受信機１６が受信できなかったタグＩＤも、漏れなくポーリングリストに登録された状態となっている。
【００６７】
次に、図８を参照して、計測タイムを取得する動作について説明する。図８は、タグコンソール１７（計時地点のタグコンソール１７）が実行する計測タイム取得処理を説明するためのフローチャートである。この計測タイム取得処理は、上述した図７のポーリングリスト生成処理によりポーリングリストが生成された後に適宜開始される。
【００６８】
まず、計時地点のタグコンソール１７は、計測タイム受信機２０にて計測タイムの受信があったか否かを判別する（ステップＳ２１）。
【００６９】
タグコンソール１７は、計測タイムの受信があったと判別すると、無線タグ３０から送られた計測タイム等を計測タイム受信機２０から取得する（ステップＳ２２）。つまり、タグコンソール１７は、計測タイム受信機２０が受信したタグＩＤ、計測タイム、関門ＩＤ、及び、補正値αを含む情報を取得する。
【００７０】
タグコンソール１７は、受信した関門ＩＤが当該計時地点のものと一致しているか否かを判別する（ステップＳ２３）。つまり、タグコンソール１７は、関門ＩＤが当該計時地点の現在時刻送信機１５の関門ＩＤと同じであるか否かを判別する。
ここで、関門ＩＤが一致している場合には、当該計時地点にて無線タグ３０の現在時刻が補正されており、一方、関門ＩＤが一致していない場合には、当該計時地点にて補正が行われておらず、以前の計時地点にて補正が行われていることになる。具体的に、マラソンコースの各５ｋｍ間隔（例えば、５ｋｍ地点、１０ｋｍ地点、１５ｋｍ地点等）に計時地点があるとき、当該計時地点（例えば、１５ｋｍ地点）で関門ＩＤが一致している場合には、当該計時地点にて無線タグ３０の現在時刻が補正されている。一方、関門ＩＤが一致していない場合には、当該計時地点にて補正が行われておらず、それより以前の計時地点（例えば、１０ｋｍ地点）にて補正が行われていることになる。
【００７１】
タグコンソール１７は、関門ＩＤが一致していると判別すると、計測タイムの補正が不要であるため、後述するステップＳ２５に処理を進める。
一方、関門ＩＤが一致していないと判別した場合に、タグコンソール１７は、補正値αを使用して、計測タイムを補正する（ステップＳ２４）。例えば、タグコンソール１７は、上述の数式１により計測タイムを補正する。すなわち、以前の計時地点（例えば、１０ｋｍ地点）での補正値αを参酌して、計測タイムを補正する。
【００７２】
タグコンソール１７は、計測タイムをデータサーバ２３に送信する（ステップＳ２５）。つまり、タグコンソール１７は、取得した計測タイム又は補正した計測タイムを、タグＩＤと共にデータサーバ２３に送信する。
【００７３】
タグコンソール１７は、ポーリングリストから対象のタグＩＤを削除する（ステップＳ２６）。すなわち、計測タイム等の取得を終えて不要となった無線タグ３０のタグＩＤをポーリングリストから削除する。
【００７４】
タグコンソール１７は、ポーリングリストに残っている各タグＩＤの情報を読み出す（ステップＳ２７）。
そして、タグコンソール１７は、ポーリングの必要となるタグＩＤが存在するか否かを判別する（ステップＳ２８）。
【００７５】
例えば、ポーリングリストの接近時刻から一定時間経過しても削除されずにポーリングリストに残っているタグＩＤがある場合に、タグコンソール１７は、そのタグＩＤに対してポーリングが必要であると判別する。
また、ポーリングリストに接近時刻がセットされていないタグＩＤの場合は、例えば、そのタグＩＤよりも通過タイムが後のタグＩＤを上記のステップＳ２８にて削除した場合等に、そのタグＩＤに対してポーリングが必要であると判別する。この他にも、そのタグＩＤの通過タイムから所定時間（例えば、１つ前の計時地点から当該計時地点までに要する標準の所要時間等）が経過しても削除されずにポーリングリストに残っているタグＩＤがある場合に、そのタグＩＤに対してポーリングが必要であると判別してもよい。
【００７６】
タグコンソール１７は、ポーリングの必要なタグＩＤがないと判別すると、上述のステップＳ２１に処理を戻す。
一方、ポーリングの必要なタグＩＤがあると判別した場合に、タグコンソール１７は、計測タイム受信機２０にポーリング受信させる（ステップＳ２９）。つまり、タグコンソール１７は、計測タイム受信機２０を制御して対象の無線タグ３０に計測タイム等の送信を要求し、ポーリング受信を試みる。
そして、タグコンソール１７は、上述のステップＳ２１に処理を戻す。
【００７７】
ステップＳ２１にて、計測タイムの受信がないと判別した場合に、タグコンソール１７は、ポーリング時に受信がなかった（今回、ポーリングを試みても受信がなかった）場合であるか否かを判別する（ステップＳ３０）。つまり、上述のステップＳ２９にて行ったポーリング受信を行っても、計測タイム等が受信できなかった状態であるか否かを判別する。
タグコンソール１７は、ポーリング時の受信でない（今回、ポーリング受信を試みていない）と判別すると、上述したステップＳ２７に処理を戻す。
【００７８】
一方、ポーリング時に受信がなかった（今回、ポーリング受信を試みた）と判別した場合に、タグコンソール１７は、そのタグＩＤに対応する競技者ＲＮを未通過者として映像記録装置２２等に通知する（ステップＳ３１）。
そして、タグコンソール１７は、ポーリングリストから対象のタグＩＤを削除する（ステップＳ３２）。すなわち、通過の有無と計測タイムの特定（判定）を要求した後、不要となった無線タグ３０のタグＩＤをポーリングリストから削除する。
そして、タグコンソール１７は、上述したステップＳ２７に処理を戻す。
【００７９】
このように、計時地点のタグコンソール１７が行う計測タイム取得処理により、無線タグ３０から送られる計測タイム等の取得状況をポーリングリストにて管理し、ポーリングリストから削除されずに残っているタグＩＤがあれば、適宜、ポーリング受信を試みて、無線タグ３０から計測タイム等を取得する。
このため、タグコンソール１７は、当該計時地点にて計時対象となり得る全ての競技者ＲＮ（無線タグ３０）から、計測タイムを取得することができる。
この結果、競技者個々の競技タイムを適切に計時することができる。
【００８０】
（他の実施形態）
上記の実施の形態では、計時地点のタグＩＤ受信機１６にてタグＩＤを受信し、受信したタグＩＤをタグコンソール１７に供給している。そして、このタグＩＤの情報（接近時刻）を追加したポーリングリストにより、無線タグ３０からの計測タイム等の受信状況を管理する場合について説明した。
しかしながら、タグＩＤ受信機１６等を用いずに、リザルトサーバ２４からのリザルトデータだけから生成したポーリングリストによって、計測タイム等の受信状況を管理するようにしてもよい。
例えば、上述の図３（ａ）に示すポーリングリストにより、計測タイムの受信状況を管理する。この際、図中の通過タイムから一定時間（例えば、１つ前の計時地点から当該計時地点までに要する標準の所要時間等）が経過しても、ポーリングリストに残っているタグＩＤ（対応する無線タグ３０）に対して、ポーリング受信を行い、計測タイム等を取得することになる。
この場合も、計時対象となり得る全ての競技者ＲＮ（無線タグ３０）から、計測タイムを取得することが可能となり、競技者個々の競技タイムを適切に計時することができる。
【００８１】
上記の実施の形態では、計時地点において、タグＩＤ取得部１７ｃによって、計時ラインＬ（ループコイル１９）に接近する競技者ＲＮの無線タグ３０から送られるタグＩＤを取得し、その後、一定時間内に、対応するタグＩＤの無線タグ３０から自主的に送信される計測タイムを取得したときに当該タグＩＤをポーリングリストから削除し、対応するタグＩＤの無線タグ３０から一定時間経過しても計測タイムを取得できなかったときに対応するタグＩＤの無線タグ３０に計測タイムの送信を要求するようにしたが、これに限らず、手前の計時地点を通過した競技者の通過情報に基づいて無線タグ３０に計測タイムの送信を要求する構成であればよい。
例えば、タグＩＤ取得部１７ｃによって、計時ラインＬ（ループコイル１９）に接近する競技者ＲＮの無線タグ３０から送られるタグＩＤを取得したときに、当該タグＩＤをポーリングリストから削除し、ポーリングリスト中に残ったタグＩＤに対応する無線タグ３０に対して計測タイムの送信を要求するようにしてもよい。この場合には、タグＩＤの取りこぼしが生じた場合であっても、そのタグＩＤに対応する無線タグ３０に対して計測タイムの送信を要求して確実に計測タイムを取得することができる。
【００８２】
また、計測タイムのみをリザルトデータとしてデータサーバ２３からリザルトサーバ２４に送信し、リザルトサーバ２４によって計測タイムのみを通過情報としてその計時地点から１つ先の計時地点のタグコンソール１７に向けて送信し、計測タイム順にポーリングリストを生成し、当該計測タイム（通過タイム）から一定時間（１つ前の計時地点から当該計時地点までに要する標準の所要時間等）が経過したときに、順次に競技者ＲＮ（無線タグ３０）に対して計測タイムの送信を要求し、競技者ＲＮ（無線タグ３０）から、計測タイムを取得するようにしてもよい。この場合には、計時地点において計時ラインＬ（ループコイル１９）に接近する競技者ＲＮの無線タグ３０から送られるタグＩＤを取得する必要がなく、タグＩＤ取得部１７ｃを省略することができる。
【００８３】
また、タグＩＤのみをリザルトデータとしてデータサーバ２３からリザルトサーバ２４に送信し、リザルトサーバ２４によってタグＩＤのみを通過情報としてその計時地点から１つ先の計時地点のタグコンソール１７に向けて送信し、計時地点の通過順にタグＩＤをソートしたポーリングリストを生成し、計時地点での計測タイム（通過タイム）から一定時間（１つ前の計時地点から当該計時地点までに要する標準の所要時間等）が経過したときに、ソートしたタグＩＤの順番に従って対応する競技者ＲＮ（無線タグ３０）に対して計測タイムの送信を要求し、競技者ＲＮ（無線タグ３０）から計測タイムを取得するようにしてもよい。この場合にも、計時地点において計時ラインＬ（ループコイル１９）に接近する競技者ＲＮの無線タグ３０から送られるタグＩＤを取得する必要がなく、タグＩＤ取得部１７ｃを省略することができる。
これらの場合にも、上記の実施の形態と同様に、計時対象となり得る全ての競技者ＲＮ（無線タグ３０）から、計測タイムを取得することが可能となり、競技者個々の競技タイムを適切に計時することができる。
【００８４】
上記の実施の形態では、計時ラインＬ上にループコイル１９を配置して、無線タグ３０が電磁場の変極点を検出することにより、競技者ＲＮが中継線Ｌに到達したことを判別する場合について説明したが、競技者ＲＮが計時ラインＬに到達したこと等の判別方法は、このような電磁場等を用いる手法に限られず、他に電波等を用いてもよい。
具体的に説明すると、ループコイル１９（磁場発生装置１８）の代わりに、トリガ信号発生装置を配置して、計時ラインＬを含むトリガエリア内に、マイクロ波や長波帯のトリガ信号を送信するようにしてもよい。また、無線タグ３０は、磁場検出コイル３１や検出回路３３等の代わりに、トリガアンテナやトリガ検出ユニットを備え、トリガ信号を検出できるようにしてもよい。
そして、無線タグ３０は、競技者ＲＮがトリガエリアに入った際に、トリガ信号を検出してトリガＩＮの時刻を特定し、また、競技者ＲＮがトリガエリアを通過した際に、トリガ信号の検出を終えトリガＯＵＴの時刻を特定する。無線タグ３０は、これらトリガＩＮ，トリガＯＵＴの時刻から中継線Ｌへ到達した計測タイムを適宜求める。例えば、中継線Ｌがトリガエリア内の中心に位置している場合には、トリガＩＮからトリガＯＵＴまでの中間の時刻を計測タイムとして算出する。
【００８５】
このようなトリガ信号を用いる場合でも、無線タグ３０は、計測タイムを算出後自主的に、計測タイム等を計測タイム受信機２０に向けて送信し、また、ポーリングに応答しても計測タイム等を計測タイム受信機２０に送信する。
この場合も、競技者個々の競技タイムを適切に計時することができる。
【００８６】
上記の実施の形態では、無線タグ３０が競技の基準時刻として現在時刻を計時する構成について説明したが、無線タグ３０が競技の基準時刻としてランニングタイムを計時する構成であってもよい。例えば、スタート地点において、スタート信号に応答して無線タグ３０が計時を開始し、計時地点において、無線タグ３０が電磁場の変極点を検出した時の無線タグ３０の計時時刻を計測タイムとして特定するようにしてもよい。
【００８７】
上記の実施の形態では、マラソン競技を一例として説明したが、計時対象の競技は、これに限られず任意である。
例えば、駅伝、競歩、身障者車椅子ロードレース、自転車ロードレース、トライアスロン、及び、ランニングやオリエンテーション等の山岳競技等にも適宜適用可能である。
なお、駅伝の場合、競技者ＲＮが区間に応じて交代するため、競技者ＲＮの交代が行われる計時地点では、適宜スタート地点の役割も果たすことになる。つまり、交代前の競技者ＲＮ（無線タグ３０）からは、計測タイム等を取得し、また、交代後の競技者ＲＮ（無線タグ３０）に対しては、現在時刻等の設定を行う。
この場合も、競技者個々のタイムを適切に計時することができる。
【００８８】
以上説明したように、本発明によれば、競技者個々のタイムを適切に計時することができる。
【図面の簡単な説明】
【００８９】
【図１】本発明の実施の形態に係る競技用計時システムの構成の一例を示す模式図である。
【図２】タグコンソールの機能的な構成の一例を示すブロック図である。
【図３】（ａ），（ｂ）共に、ポーリングリストの一例を示すブロック図である。
【図４】（ａ）がループコイルの形状の一例を示す模式図であり、（ｂ）が生成される電磁場を説明するための模式図であり、（ｃ）が電磁場の強度分布を説明するための模式図である。
【図５】無線タグの構成の一例を示すブロック図である。
【図６】（ａ）が検出回路の一例を示す回路図であり、（ｂ）が変極点の特定を説明するための模式図である。
【図７】本発明の実施の形態に係るポーリングリスト生成処理を説明するためのフローチャートである。
【図８】本発明の実施の形態に係る計測タイム取得処理を説明するためのフローチャートである。
【符号の説明】
【００９０】
１    競技用計時システム
１１  タイマコンソール
１２  標準時刻受信機
１３  無線通信端末
１４  時刻表示装置
１５  現在時刻送信機
１６  タグＩＤ受信機
１７  タグコンソール
１８  磁場発生装置
１９  ループコイル
２０  計測タイム受信機
２１  撮影装置
２２  映像記録装置
２３  データサーバ
２４  リザルトサーバ
３０  無線タグ
【図１】
2006141867.tif 000003
【図２】
2006141867.tif 000004
【図３】
2006141867.tif 000005
【図４】
2006141867.tif 000006
【図５】
2006141867.tif 000007
【図６】
2006141867.tif 000008
【図７】
2006141867.tif 000009
【図８】
2006141867.tif 000010